(57)【要約】【課題】ワイヤレスマイクの技術において、使用用途に応じた音質を選択可能とする。【解決手段】送信機の使用者が液晶操作部９０を用いて、使用用途に合わせた音質を選択する。送信機のエンコード処理手段（制御部９、音声処理部３０、伝送処理部５０）が、Ａ／Ｄ変換部３でデジタル化された信号を、液晶操作部９０で選択された音質に基づくデジタル音声形式（例えば、サンプリング周波数、量子化ビット数、圧縮方式）に変換するコード化処理を行うとともに、そのコード化処理した信号に使用しているデジタル音声形式を表す音質情報を付加する。【選択図】図１
2008131374.tif 000002
【特許請求の範囲】
【請求項１】
音質の選択を受け付ける選択手段と、
音声入力用のマイクロホンと、
前記マイクロホンで入力された音声をデジタル化するＡ／Ｄコンバータと、
前記Ａ／Ｄコンバータでデジタル化された信号を、前記選択手段で選択された音質に基づくデジタル音声形式に変換するコード化処理を行うとともに、そのコード化処理した信号に使用しているデジタル音声形式を表す音質情報を付加する、エンコード処理手段と、
前記エンコード処理手段でコード化処理した信号を送信する無線部と、
を有することを特徴とするワイヤレスマイク送信機。
【請求項２】
信号を受信して復調する無線部と、
前記無線部で復調された信号をもとに、その信号に付随する情報であってその信号におけるデジタル音声形式を表す音質情報を取出すとともにその音質情報に基いて判断するデジタル音声形式により、デジタル音声信号を復号化する、デコード処理手段と、
前記デコード処理手段で復号化された前記デジタル音声信号をアナログ音声信号に復元するＤ／Ａコンバータと、
を有することを特徴とするワイヤレスマイク受信機。
【請求項３】
請求項１記載のワイヤレスマイク送信機と、
請求項２記載のワイヤレスマイク受信機と、
を備えることを特徴とするワイヤレスマイクシステム。
【発明の詳細な説明】
【技術分野】
【０００１】
本発明は、ワイヤレスマイクの技術において、使用用途に応じた音質を選択可能とするものである。
【背景技術】
【０００２】
従来から、鉄道駅構内放送をはじめとする多様な分野で、ワイヤレスマイクの送信機、受信機、そしてこれらを組み合わせたワイヤレスマイクシステムが用いられている。ワイヤレスマイクシステムでは、一又は二以上のワイヤレスマイク送信機（以下、単に「送信機」とも呼ぶ）からの電波をワイヤレスマイク受信機（以下、単に「受信機」とも呼ぶ）で受信するもので、送信機や受信機に、ＡＴＴ（アッテネーター）を用いて音声入力レベルの大小を切り替えたり調節する機能を設けた例も存在した（例えば、特許文献１参照）。
【特許文献１】特開２００２−９６４０
【発明の開示】
【発明が解決しようとする課題】
【０００３】
しかし、ワイヤレスマイクの使用用途すなわち伝送する音の内容、例えばボーカル、楽器、スピーチなどに応じて最適な音質は異なるところ、音声入力レベルしか調節できない上記のような従来の例では、用途ごとに異なる機器が必要となり、高コスト化を招く問題があった。
【０００４】
本発明は、上記のような課題を解決するもので、その目的は、ワイヤレスマイクの技術において、使用用途に応じた音質を選択可能とすることである。
【課題を解決するための手段】
【０００５】
上記の目的を達成するため、本発明の一態様は、ワイヤレスマイク送信機において、音質の選択を受け付ける選択手段と、音声入力用のマイクロホンと、前記マイクロホンで入力された音声をデジタル化するＡ／Ｄコンバータと、前記Ａ／Ｄコンバータでデジタル化された信号を、前記選択手段で選択された音質に基づくデジタル音声形式に変換するコード化処理を行うとともに、そのコード化処理した信号に使用しているデジタル音声形式を表す音質情報を付加する、エンコード処理手段と、前記エンコード処理手段でコード化処理した信号を送信する無線部と、を有することを特徴とする。
【０００６】
本発明の他の態様は、ワイヤレスマイク受信機において、信号を受信して復調する無線部と、前記無線部で復調された信号をもとに、その信号に付随する情報であってその信号におけるデジタル音声形式を表す音質情報を取出すとともにその音質情報に基いて判断するデジタル音声形式により、デジタル音声信号を復号化する、デコード処理手段と、前記デコード処理手段で復号化された前記デジタル音声信号をアナログ音声信号に復元するＤ／Ａコンバータと、を有することを特徴とする。
【０００７】
本発明の他の態様は、さらに、上記のワイヤレスマイク送信機と、上記のワイヤレスマイク受信機と、を備えることを特徴とするワイヤレスマイクシステムである。
【発明の効果】
【０００８】
以上のような本発明によれば、音声の品質を任意に選択し切替可能とすることにより、使用用途ごとにそれぞれ異なる規格のワイヤレスマイクのシステム、送信機や受信機を用意するまでも無く、一つのシステムでどの使用用途にも容易に対応できるため、無駄なコストや設備が削減可能となる。
【発明を実施するための最良の形態】
【０００９】
次に、本発明を実施するための最良の実施形態について図に沿って説明する。なお、背景技術や課題で既に説明した内容と共通の前提事項は適宜省略する。
【００１０】
〔１．構成〕
本実施形態は、図１のように構成するワイヤレスマイク送信機（以下、単に「送信機」とも呼ぶ）と、図２のように構成するワイヤレスマイク受信機（以下、単に「受信機」とも呼ぶ）とを組み合わせたワイヤレスマイクシステム（以下「本システム」とも呼ぶ）に関するもので、送信機、受信機、本システムのそれぞれに対応する方法としても把握可能である。
【００１１】
〔１−１．送信機の構成〕
まず、送信機は、図１に示すように、音声入力用のマイク（マイクロホン）１と、マイク１からの信号のための増幅器２と、音声信号についてデジタル化などの処理を行う音声処理部３０と、処理された音声信号に伝送用の処理を行う伝送処理部５０と、送信部Ｓと、液晶操作部９０と、を有する。
【００１２】
このうち、音声処理部３０は、ＤＳＰなどで実現し、マイク１で入力された音声をデジタル化するＡ／ＤコンバータであるＡ／Ｄ変換部３と、音声コーデック４と、を有して、ＤＳＰなどにより、量子化ビット数の調整、サンプリングレートの調整、ＣＯＤＥＣ（コーデック）の調整などを行う部分である。
【００１３】
また、伝送処理部５０は、誤り訂正部５と、チャネルコーデック６と、ベースバンド処理部７と、を有して、誤り訂正検査シンボル数の調整、伝送帯域の調整などを行う部分である。
【００１４】
また、液晶操作部９０は、ＣＰＵなどの制御部９と、スイッチ類などの操作部１０と、液晶パネルなどの表示部１１と、を有し、送信における音質の選択をユーザから受け付ける選択手段を実現している。
【００１５】
また、制御部９は、各部の制御のほか、伝送するデジタル音声の形式を表す音質情報（音声品質情報）に関する処理を行う部分で、音声処理部３０ならびに伝送処理部５０とともに、音声信号を送信用に加工するエンコード処理手段を実現する。送信部Ｓは、このエンコード処理手段でコード化処理した信号をアンテナで送信する無線部である。
【００１６】
〔１−２．受信機の構成〕
一方、受信機は、図２に示すように、送信機からの信号をアンテナで受信し復調する無線部である受信部Ｒと、伝送処理部２０と、音声処理部４０と、液晶表示部８０と、復号化された音声を出力するための音声出力部である増幅器１６及びスピーカ１７と、を有する。
【００１７】
このうち、伝送処理部２０は、ＤＳＰなどで実現し、送信機の伝送処理部５０に対し、対になる構成（ベースバンド処理部１２、チャネルコーデック１３、誤り訂正部２５）と、対になる処理に対応する部分である。また、音声処理部４０は、送信機の音声処理部３０に対し、対になる構成（音声コーデック１４、Ｄ／Ａ変換部１５）と、対になる処理に対応する部分である。
【００１８】
また、これら伝送処理部２０ならびに音声処理部４０は、制御部１８とともに、復調された信号からデジタル音声信号を復号化するデコード処理手段を実現し、また、Ｄ／Ａ変換部１５は、そのように復号化されたデジタル音声信号をアナログ音声信号に復元するＤ／Ａコンバータである。
【００１９】
〔２．作用〕
以上のように構成された本実施形態は以下のように作用する。
〔２−１．送信機の作用〕
まず、送信機の動作手順としては、図３のフローチャートに示すように、送信機の使用者から液晶操作部９０を用いて、例えば音質メニューからボーカル、スピーチなどの別を選択といった所定の操作により、使用用途に合わせた音質すなわちデジタル音声形式の選択を受け付ける（ステップＳ１１）。
【００２０】
そして、送信機のエンコード処理手段が（すなわち、制御部９が音声処理部３０および伝送処理部５０を制御することにより）、Ａ／Ｄ変換部３でデジタル化した信号を、液晶操作部９０で選択された音質に基づくデジタル音声形式（例えば、サンプリング周波数、量子化ビット数、圧縮方式）に変換するコード化処理を行って送信用の伝送情報を得る。
【００２１】
この際、制御部９による音質設定指示（ステップＳ１２）、すなわち、ノーマルか、スピーチか、ボーカルかといった、選択されている音質に対応して（ステップＳ１３）、デジタル音声形式を切り替え（ステップＳ１４〜Ｓ１６、ステップＳ１７〜Ｓ１９、もしくはステップＳ２０〜Ｓ２２）、その結果として得られた伝送情報を無線部（送信部Ｓ）へ渡す。
【００２２】
この際、ダイナミックレンジや圧縮率に関しては（例えばステップＳ１７，Ｓ１８）、主にＤＳＰなどの音声処理部３０における音声コーデック４により、量子化ビット数、サンプリングレート、ＣＯＤＥＣなどの調整で制御する。また、伝送量に関しては（例えばステップＳ１９）、主に伝送処理部５０のチャネルコーデック６により、誤り訂正検査シンボル数や伝送帯域の調整などで制御する。
【００２３】
また、制御部９は、このデジタル音声形式に変換された伝送情報に、そのコード化処理した信号に使用しているデジタル音声形式を表す音質情報（音声品質情報）を、制御情報などの形で付加する（ステップＳ１２。エンコード処理）。
【００２４】
〔２−２．受信機の作用〕
一方、受信機側のデコード処理手段（伝送処理部２０、音声処理部４０、制御部１８）の動作手順を、図４のフローチャートに示す。すなわち、デコード処理手段は、まず、受信部Ｒで受信され復調された信号すなわち伝送情報をもとに（ステップＳ５１）、その伝送情報に制御情報などの形で付随する情報であってその伝送情報におけるデジタル音声形式を表す音質情報（音声品質情報）を取出す（ステップＳ５２）。
【００２５】
そして、その音声情報に基いて自動的に判断するデジタル音声形式すなわち音質に応じた（ステップＳ５３）音質すなわちデジタル音声形式により（ステップＳ５４〜５６、ステップＳ５７〜５９、もしくはステップＳ６０〜Ｓ６２）、デジタル音声信号を復号化し（デコード処理）、Ｄ／Ａ変換部１５でアナログ信号に変換し、音声出力部となる増幅器１６及びスピーカ１７へ渡す。
【００２６】
この際、伝送量に関しては（例えばステップＳ５７）、主に伝送処理部２０のチャネルコーデック１３により、誤り訂正検査シンボル数や伝送帯域の調整などで制御する。また、圧縮率やダイナミックレンジに関しては（例えばステップＳ５８，Ｓ５９）、主にＤＳＰなどの音声処理部４０におけるチャネルコーデック６により、量子化ビット数、サンプリングレート、ＣＯＤＥＣなどの調整で制御する。
【００２７】
〔３．効果〕
以上のように、本実施形態によれば、音声の品質を任意に選択し切替可能とすることにより、使用用途ごとにそれぞれ異なる規格のワイヤレスマイクのシステム、送信機や受信機を用意するまでも無く、一つのシステムでどの使用用途にも容易に対応できるため、無駄なコストや設備が削減可能となる。
【００２８】
〔４．他の実施形態〕
なお、本発明は、上記実施形態に限定されるものではなく、以下に例示するもの及びそれ以外の他の実施形態も含むものである。一例として、以上の説明は例示に過ぎず、サンプリング周波数、量子化ビット数、圧縮方式などの選択肢や組合せは自由であるから、例えば、音質はノーマル、ボーカル、スピーチ以外に、楽器などについて別のデジタル音声形式（例えば、図３のステップＳ２４〜Ｓ２６）を用いるなど、適宜変更実施可能であり、そのような変形例も本発明の範囲内であることは言うまでもない。
【図面の簡単な説明】
【００２９】
【図１】本発明の実施形態における送信機の構成を例示する図。
【図２】本発明の実施形態における受信機の構成を例示する図。
【図３】本発明の実施形態における送信機の動作手順を例示するフローチャート。
【図４】本発明の実施形態における受信機の動作を例示するフローチャート。
【符号の説明】
【００３０】
１…マイク
２…増幅器
３…Ａ／Ｄ変換部
４，１４…音声コーデック
５，２５…謝り訂正部
６，１３…チャネルコーデック
７，１２…ベースバンド処理部
９，１８…制御部
１０…操作部
１１，１９…表示部
１５…Ｄ／Ａ変換部
１６…増幅器
１７…スピーカ
２０，５０…伝送処理部
３０，４０…音声処理部
８０…液晶表示部
９０…液晶操作部
Ｒ…受信部
Ｓ…送信部
【図１】
2008131374.tif 000003
【図２】
2008131374.tif 000004
【図３】
2008131374.tif 000005
【図４】
2008131374.tif 000006